(57)【要約】【課題】方式の異なる画像信号が入力され、出力側に異なる規格の各種ディスプレイ装置が接続される場合であっても、パラメータの調整、切換操作等を容易かつ迅速に行うことができるようにし、また、装置の小型化を図ること。【解決手段】ＮＴＳＣあるいはＲＧＢ方式の画像信号がマトリックススイッチ１を介してスキャンコンバータ２−１〜２−ｍに入力する。スキャンコンバータ２−１〜２−ｍは、入力された画像信号をＲＧＢ方式の画像信号に変換してメモリに格納する。メモリに格納された画像信号は、出力側に接続されるディスプレイ装置の規格に応じた読み出しタイミングで読み出され、ディスプレイ装置２１，２２に表示される。マトリックススイッチ１の接続情報、上記読み出しタイミング、画像調整パラメータ等は、制御部３の不揮発性記憶部に記憶され、マトリックススイッチ１、スキャンコンバータ２−１〜２−ｍに設定される。【選択図】　　　　　図１
2004134963.tif 000002
【特許請求の範囲】
【請求項１】
ＮＴＳＣ方式またはＲＧＢ方式の画像信号を入力し、該入力した画像信号を、複数のディスプレイ装置に対応した規格のＲＧＢ信号に変換して出力するスキャンコンバータを内蔵したマトリクススイッチであって、
入力側に接続されるＮＴＳＣ方式またはＲＧＢ方式の画像信号を、選択的に上記スキャンコンバータに入力する切換回路と、
上記切換回路の切換を制御する制御手段とを備え、
上記スキャンコンバータは、入力されたＮＴＳＣ方式の画像信号をＲＧＢ方式の画像信号に変換する変換手段と、
上記変換されたＲＧＢ方式の画像信号または入力されるＲＧＢ方式の画像信号を格納するメモリと、
出力側に接続されるディスプレイ装置の規格に対応した読み出しタイミングで上記メモリから画像信号を読み出す複数のタイミング信号発生回路を有する画像読み出し回路と、
上記メモリから読み出された画像信号の画像調整を行う画像調整回路を備え、
上記制御手段は、上記切換回路の切換状態に対応させて、上記読み出しタイミングと画像調整パラメータを記憶する不揮発性記憶部とを備え、該不揮発性記憶部から、上記切換え回路の切換状態と、出力側に接続されるディスプレイ装置に対応した読み出しタイミングと、入力側の画像信号と出力側のディスプレイ装置に対応した画像調整パラメータを読み出して、上記切換回路の切換状態を設定するとともに、読み出しタイミングに応じたタイミング信号発生回路を選択して上記画像読み出し回路による読み出しタイミングを設定し、上記画像調整回路の画像調整パラメータを設定する
ことを特徴とするスキャンコンバータを内蔵したマトリクススイッチ。
【発明の詳細な説明】
【０００１】
【発明の属する技術分野】
本発明は、複数の映像信号を選択して、１あるいは複数のディスプレイに出力するための、映像信号の変換器（以下ではスキャンコンバータという）　を内蔵したマトリックススイッチに関する。
【０００２】
【従来の技術】
複数の映像信号を選択して、１あるいは複数のディスプレイに出力するための切換え器として、マトリックススイッチが使用されている。
図４にマトリックススイッチの使用例を示す。
マトリックススイッチは、複数の人力端子と、複数の出力端子を有し、入力端子から入力する複数の信号を選択し、任意の出力端子から出力する。
例えば、図４に示すマトリックススイッチは、４つの入力端子Ｉ１　〜Ｉ４　と４つの出力端子Ｏ１　〜Ｏ４　があり、入力端子Ｉ１　〜Ｉ４　のそれぞれにカメラＣ１〜Ｃ４を接続し、出力端子Ｏ１　〜Ｏ４　のそれぞれにはディスプレイ装置Ｄ１〜Ｄ４が接続されている。
切換スイッチＳＷの接続の設定により、カメラＣ１〜Ｃ４から入力する４つの映像信号が、Ｏ１　〜Ｏ４　の任意の出力端子から出力する。
例えば、カメラＣ１の映像信号を、Ｏ１　〜Ｏ４　の一つの出力端子から出力させることもできるし、すべての端子から出力させることもできる。したがって、本例のような４つの入力信号を４つの出力端子から出力する場合、４×４×４×４＝２５６通りの組合せで出力を切り換えることができる。
上記マトリックススイッチは、例えば、テレビ局のスタジオで、複数のテレビカメラにより撮影している映像を、複数のテレビモニタに表示させるために使われている。
【０００３】
一方、一般のテレビで使用される映像信号は、ＮＴＳＣ信号と呼ばれ、輝度信号・色信号・同期信号が一つの信号に重畳されている。また、コンピュータ等のディスプレイ装置で一般に使用されている映像信号は、ＲＧＢ信号と呼ばれ、ＲＧＢの各信号と水平及び垂直同期信号から構成されている。ＮＴＳＣ信号とＲＧＢ信号とは互換性がない。最近は、ＮＴＳＣ信号であるテレビの映像を、ＲＧＢ信号を使用するコンピュータのディスプレイやプロジェクタ等に映し出すことが盛んに行われる。
このため、ＮＴＳＣの信号をＲＧＢ信号に変換する等、映像信号の入力周波数を別の周波数に変換する必要がある。上記変換を行うため、スキャンコンバータ（走査変換器ともいう）が使用される。
図５に上記スキャンコンバータ（走査変換器）の使用例を示す。同図に示すように、テレビ受像機で使用されるＮＴＳＣ信号を、スキャンコンバータに入力し、ＲＧＢ信号に変換することにより、パソコン等のディスプレイ装置で表示することができる。
【０００４】
図６に上記スキャンコンバータの概略構成を示す。図６によりスキャンコンバータの各部の働きを説明する。
スキャンコンバータの入力端子にＮＴＳＣ信号による画像信号が入力する。上記したように、ＮＴＳＣ信号は、輝度信号・色信号・同期信号が一つの信号に重畳されている。
入力された信号は、２つに分けられる。分けられた信号のうち、一方は映像信号用で、もう一方は同期信号用である。
映像に使われる信号は、バッファＢｆを介して、Ｙ−Ｃ分離回路１１に入力する。Ｙは輝度信号、Ｃはカラー信号を意味する。Ｙ−Ｃ分離回路１１によりＹ（輝度）信号とＣ（カラー）信号とに分けられる。
Ｙ信号とＣ信号とはカラースペースコンバータ１２に入力し、アナログのＲＧＢ信号となってＡ／Ｄコンバータ１４に入力する。
一方、同期信号に使われる信号は、同期分離回路１３に入力し水平同期信号ＨＤと垂直同期信号ＶＤとに分けられる。
ＨＤとＶＤとは、読み込みタイミング発生回路１５に入力し、ＮＴＳＣ信号と同期するタイミングで、Ａ／Ｄコンバータ１４に入力する。
【０００５】
Ａ／Ｄコンバータ１４は、入力したアナログのＲＧＢ信号と、ＮＴＳＣ信号と同期した水平同期信号ＨＤと垂直同期信号ＶＤとに基づき、映像表示の位置とタイミングを関連付け、デジタル化したＲＧＢ信号を出力する。出力されたデジタルＲＧＢ信号は、メモリ１６に一時蓄積される。
映像信号がメモリ１６に格納された段階で水平同期信号ＨＤと垂直同期信号ＶＤそのものは不要になる。これは、水平同期信号ＨＤと垂直同期信号ＶＤの情報がメモリ１６の番地に変換されるためである。
メモリ１６に蓄積されたＲＧＢ信号は、読み出しタイミング発生回路１７からのタイミング信号に基づいて出力される。読み出しタイミング発生回路１７とは、スキャンコンバータの出力側に接続するディスプレイ装置の画像信号と同期したタイミングで水平同期信号ＨＤと垂直同期信号ＶＤを出力する回路である。即ち、メモリ１６に格納された映像信号は、格納されている各番地からディスプレイ装置の水平同期信号ＨＤと垂直同期信号ＶＤと同期したタイミングで呼び出され、ＲＧＢ信号として出力される。
メモリ１６から出力したデジタルＲＧＢ信号は、Ｄ／Ａコンバータ１８に入力し、アナログＲＧＢ信号に変換されて、出力端子から出力される。
上記と同時に、読み出しタイミング発生回路１７からは、ディスプレイ装置の画像信号と同期したタイミングで水平同期信号ＨＤと垂直同期信号ＶＤとが出力され、出力端子から出力される。
上記ＲＧＢ信号と水平同期信号ＨＤと垂直同期信号ＶＤの５本の信号をディスプレイ装置に接続することにより、ディスプレイ装置にスキャンコンバータの入力端子から入力されるＮＴＳＣ方式の画像信号に対応した画像が表示される。
【０００６】
一方、最近は、ＲＧＢ対応のディスプレイであっても、解像度の違いにより、種々の規格の信号が用いられるようになってきており、例えば、ＶＧＡ・ＳＶＧＡ・ＸＧＡ・ＳＸＧＡ・ＵＸＧＡ等の規格の信号が使われるようになってきた。
そのため、次のような問題も起きている。
例えば、低解像度のＶＧＡ信号を、そのまま、高解像度のＵＸＧＡ対応のディスプレイに入力したのでは、ＶＧＡレベルの低い解像度で表示され、ディスプレイが有する高解像度の機能が役立たない。
これに対応するためには、スキャンコンバータに内蔵される読み出しタイミング発生回路１７を、ディスプレイ装置の解像度に合せたものにする必要がある。これは、ＵＸＧＡ対応のディスプレイが接続される場合であれば、メモリからＲＧＢ信号を読み出すタイミング、すなわち水平同期信号ＨＤと垂直同期信号ＶＤを出力するタイミングが、ＵＸＧＡ信号と同期するものでなければならないからである。即ち、一つのスキャンコンバータのみでは、規格の異なるディスプレイ装置には対応できない。したがって、出力側に接続するディスプレイ装置の規格の数だけスキャンコンバータを準備しなければならないということになり、不便である。
そこで、上記のマトリックススイッチとスキャンコンバータとを組み合わせた、スキャンコンバータ内蔵マトリックススイッチ（以下ＳＣＭＳと略記する）が知られている（例えば特許文献１参照）。
【０００７】
【特許文献１】
特開平５−１６５４４７号公報
【０００８】
上記文献の図１に記載される受信回路４、ＮＴＳＣ／ＲＧＢ変換器３、アナログスイッチ５および切替スイッチ６が、上記ＳＣＭＳに対応し、受信回路４、ＮＴＳＣ／ＲＧＢ変換器３が上記スキャンコンバータに対応し、アナログスイッチ６と切替えスイッチ７とがマトリックススイッチにそれぞれ相当する。
上記文献記載のものにおいては、ＶＴＲ９からのＮＴＳＣ信号がＮＴＳＣ／ＲＧＢ変換部３によってＲＧＢ信号に変換され、アナログスイッチ５を介してＣＲＴディスプレイ２に出力され、また、コンピュータ（ＰＣ）１０からのＲＧＢ信号が受信回路４、アナログスイッチ５を介してＣＲＴディスプレイ２に出力される。そして、アナログスイッチ６を切り替えることにより、ＶＴＲ９あるいはＰＣ１０からの映像信号が、出力側に接続されたＣＲＴディスプレイ２（ＲＧＢ信号対応）に表示される。
このようなＳＣＭＳは、例えば、映像を駆使して新製品を紹介する展示会等で使われる。
【０００９】
【発明が解決しようとする課題】
上記文献の図１に記載のものにおいて、出力側のディスプレイ２が例えばＳＸＧＡ規格のディスプレイであり、ＰＣ１０からの入力がＶＧＡ規格の信号とすると、ＰＣ１０とアナログスイッチ５との間に、ＶＧＡ規格の信号をＳＸＧＡ規格の信号に変換するための、ＲＧＢ（ＶＧＡ）／ＲＧＢ（ＳＸＧＡ）変換部が必要になる。また、ＮＴＳＣ／ＲＧＢ変換部３も、ＮＴＳＣ／ＲＧＢ（ＳＸＧＡ）変換部とする必要がある。
ここで、出力側のディスプレイ２をＳＸＧＡ規格のものからＵＸＧＡ規格のものに交換した場合、ＲＧＢ（ＶＧＡ）／ＲＧＢ（ＳＸＧＡ）変換部をＲＧＢ（ＶＧＡ）／ＲＧＢ（ＵＸＧＡ）変換のスキャンコンバータに、ＮＴＳＣ／ＲＧＢ（ＳＸＧＡ）変換部をＮＴＳＣ／ＲＧＢ（ＵＸＧＡ）変換のスキャンコンバータに、それぞれ交換しなければならない。即ち、出力側のディスプレイの規格が変るたびにスキャンコンバータを交換しなければならず、非常に不便である。
また、ディスプレイの画面に美しく映像を表示するためには、該ディスプレイ装置に合せて、「色合い」「色の濃さ」「コントラスト」「輝度（　明るさ）　」など各種のパラメータを調整する必要がある。
【００１０】
特に、出力側にプロジェクタＰＲが接続される場合、映像は、投影器からスクリーンに向かって上向き、または下向きに投影される。したがって、スクリーン上に画像を歪なく四角く映し出すためには、上向き照射の場合は、投影器からの画像を上辺に向かうにしたがって徐々に狭くなるように、下向き照射の場合は、下辺に向かうにしたがって徐々に狭くなるように調整する必要がある（これを台形補正または糸巻き制御という）。
これらの調整は、本来、ディスプレイ装置であるモニタやプロジェクタに調整つまみを持たせ、そこで調整すればよい。しかし、展示会や映像スタジオ等でこのようなシステムを用いる場合、通常、ディスプレイ装置は、多くの観客から見えるように、手の届かないような高い位置に設けられたり、各々が離れた位置に設けられたりすることが多い。
そのような場合、ディスプレイ装置に設けたつまみでは、各パラメータの調整ができなかったり、難しかったりして不便である。ＳＣＭＳの内部に各パラメータを調整するつまみ（トリマ）を設けてもよいが、調整用のパラメータは多数あり、それが接続されるディスプレイの数、即ち出力側の端子の数に応じて設けることになるので、多くの入出力が可能な高機能ＳＣＭＳになるほど、内部に膨大な数のトリマが必要になり、装置の小型化を妨げる原因となる。
【００１１】
以上のように、ＮＴＳＣ信号あるいはＲＧＢ信号が入力され、出力側にプロジェクタや、ＶＧＡ、ＳＸＧＡ等の各種規格のディスプレイ装置や接続される場合には、プロジェクタに合わせて台形補正を行ったり、各ディスプレイ装置に合せて、「色合い」「色の濃さ」「コントラスト」「輝度（　明るさ）　」など各種のパラメータを調整したり、さらに、ディスプレイ装置の規格に合わせて、スキャンコンバータを選択する必要があり、パラメータ調整、切換操作が極めて煩雑となる。
特にＳＣＭＳは、前記したように新製品を紹介する展示会等で使われることが多く、展示会の現場ではパラメータ調整、切換え操作を迅速に行うことが要求されるが、従来のＳＣＭＳでは、これらの要求に対応することができなかった。
また、各種パラメータの調整を行うためには、前記したようにＳＣＭＳの内部に各パラメータを調整するつまみ等を設ける必要があるが、これが小型化の妨げとなっていた。
本発明の上記事情に鑑みなされたものであって、入力側からＮＴＳＣ信号やＲＧＢ信号が入力され、また、出力側に異なる規格の各種ディスプレイやプロジェクタが接続される場合であっても、各種パラメータの調整、切換操作を容易かつ迅速に行うことができ、また、装置の小型化を図ることができるスキャンコンバータを内蔵したマトリックススイッチを提供することである。
【００１２】
【課題を解決するための手段】
上記課題を解決するため、本発明は、スキャンコンバータを内蔵したマトリクススイッチにおいて、入力側に接続されるＮＴＳＣ方式またはＲＧＢ方式の画像信号を、選択的に上記スキャンコンバータに入力する切換回路と、上記切換回路の切換を制御する制御手段とを設ける。
また、上記スキャンコンバータを、入力されたＮＴＳＣ方式の画像信号をＲＧＢ方式の画像信号に変換する変換手段と、変換されたＲＧＢ方式の画像信号または入力されるＲＧＢ方式の画像信号を格納するメモリと、出力側に接続されるディスプレイ装置の規格に対応した読み出しタイミングで上記メモリから画像信号を読みだす複数のタイミング信号発生回路を有する画像読み出し回路と、上記メモリから読み出された画像信号の画像調整を行う画像調整回路とから構成する。
上記画像読み出し回路に設けられた各読み出しタイミング発生回路は、ＶＧＡ・ＳＶＧＡ・ＸＧＡ・ＳＸＧＡ・ＵＸＧＡそれぞれの規格に応じたタイミングの水平同期信号（ＨＤ）及び垂直同期信号（ＶＤ）を発生する。
また、上記画像調整回路は、上記メモリから読み出された画像の輝度・コントラスト・色調等を調節する。
さらに、上記制御手段に、上記切換回路の切換え状態を設定する第１の設定手段と、上記スキャンコンバータの画像読み出し回路に設けられたタイミング信号発生回路を選択し、上記画像読み出し回路による読み出しタイミングを設定するするとともに、上記画像調整回路の画像調整パラメータを設定する第２の設定手段と、上記切換回路の切換状態に対応させて、上記読み出しタイミングと画像調整パラメータを記憶する不揮発性記憶部とを設ける。
そして、上記制御手段は、上記不揮発性記憶部から、上記切換回路の切換え状態を読み出して、上記切換回路を設定するとともに、該切換え状態に対応させて記憶した、出力側に接続されるディスプレイ装置に対応した読み出しタイミングと、入力側の画像信号と出力側のディスプレイ装置に対応した画像調整パラメータを読み出して、画像読み出し回路に設けられたタイミング発生回路のうちから、上記読み出しタイミングに対応するタイミング信号発生回路を選択し、画像読み出し回路による読み出しタイミングを設定する。また、上記画像調整回路の画像調整パラメータを設定する。
【００１３】
本発明においては、上記構成としたので、入力側からＮＴＳＣ方式の画像信号やＲＧＢ方式の画像信号が入力され、出力側に各種規格のディスプレイ装置が接続されても、切換え回路を入力画像信号が対応するスキャンコンバータの入力端子に接続されるように設定し、出力側に接続されるディスプレイ装置の規格等に対応させてスキャンコンバータの読み出しタイミング、画像調整パラメータ等を設定することで対応することができる。このため、入力画像信号の方式や出力側に接続されるディスプレイ装置の規格に合わせてスキャンコンバータを用意する必要がない。
また、予め、入力側に接続される画像信号の方式、出力側に接続されるディスプレイ装置に対応させて、上記切換回路の切換状態、および上記読み出しタイミングや画像調整パラメータ等を設定し、この設定情報を不揮発性記憶部に記憶しておくことにより、上記不揮発性記憶部から設定情報を読みだすことで、上記切換回路、読み出しタイミングや画像調整パラメータ等を迅速に設定することができる。
さらに、複数のスキャンコンバータの読み出しタイミングや画像調整パラメータ等の設定を、共通に設けた制御手段で行うようにしたので、入出力端子の数や内蔵されたスキャンコンバータの数が多くなっても、各パラメータを調整するつまみ等の数を少なくすることができる。
【００１４】
【発明の実施の形態】
図１は本発明の実施例のスキャンコンバータを内蔵したマトリックススイッチ（ＳＣＭＳ）の全体構成を示す図である。
同図において、１はマトリックススイッチであり、マトリックススイッチ１は、前記したように複数の入力端子ＭＩ１　〜ＭＩｎ　と複数の出力端子ＭＯ１　〜ＭＯ２ｍを有し、マトリックススイッチ１の設定に応じて、ＳＣＭＳの入力端子Ｉ１　〜Ｉｎ　から入力されるＮＴＳＣ方式あるいはＲＧＢ方式の画像信号を選択的に、スキャンコンバータ２−１〜２−ｍのＮＴＳＣ入力端子、ＲＧＢ入力端子に入力することができる。
スキャンコンバータ２−１〜２−ｍは、後述するように、ＮＴＳＣ方式の画像信号をＲＧＢ方式の画像信号に変換する回路と、ＲＧＢ方式の画像信号を格納するメモリと、画像調整回路と、ＳＣＭＳの出力側に接続されるディスプレイ装置に規格に応じた読み出しタイミングで画像データを上記メモリから読み出す画像読み出し回路を備えている。
【００１５】
３は制御部、４は設定部であり、設定部４により、上記マトリックススイッチ１の接続状態を設定するとともに、上記スキャンコンバータ２−１〜２−ｍが有する画像調整回路の画像調整パラメータ、画像読み出し回路による読み出しタイミング等を設定する。スキャンコンバータ２−１〜２−ｍの出力側、すなわち、ＳＣＭＳの出力端子Ｏ１　〜Ｏｍ　には、モニタ２１、プロジェクタ２２等のディスプレイ装置が接続され、スキャンコンバータ２−１〜２−ｍが出力する画像信号が表示される。
制御部３はフラッシュメモリ等から構成される不揮発性記憶部を備え、上記設定部４による設定を該不揮発性記憶部に記憶するとともに、上記マトリックススイッチ１の接続状態を制御し、入力端子Ｉ１　〜Ｉｎ　から入力されるＮＴＳＣ方式あるいはＲＧＢ方式の画像信号が、スキャンコンバータ２−１〜２−ｍの設定された入力端子に接続されるように切り換える。さらに、上記設定部４の設定に応じて、スキャンコンバータ２−１〜２−ｍの画像調整回路のパラメータ、画像読み出し回路の読み出しタイミングを設定する。
【００１６】
図１において、ＮＴＳＣ方式あるいはＲＧＢ方式の画像信号を入力端子Ｉ１　〜Ｉｎ　からＳＣＭＳに入力する。
上記画像信号は、マトリックススイッチ１の接続状態を設定することにより、選択的に、任意のスキャンコンバータ２−１〜２−ｍのＮＴＳＣ端子あるいはＲＢＧ端子に入力させることができる。
ＮＴＳＣ方式の画像信号がＮＴＳＣ端子から入力された場合、スキャンコンバータ２−１〜２−ｍは、ＮＴＳＣ方式の画像信号を、ＲＧＢ方式の画像信号に変換してメモリに格納し、出力側に接続されるディスプレイ装置の規格に応じた読み出しタイミングで、上記メモリから画像データを読み出して出力する。
また、ＲＧＢ方式の画像信号がＲＧＢ端子から入力された場合、スキャンコンバータ２−１〜２−ｍは、ＲＧＢ方式の画像信号をメモリに格納し、出力側に接続されるディスプレイ装置の規格に応じた読み出しタイミングで、上記メモリから画像データを読み出して出力する。
スキャンコンバータ２−１〜２−ｍの出力は、出力端子Ｏ１　〜Ｏｍ　を介して、出力側に接続されたモニタ２１、プロジェクタ２２等のディスプレイ装置に送られ、これらのディスプレイ装置により、入力端子Ｉ１　〜Ｉｎ　から入力される画像信号が表示される。
上記マトリックススイッチ１の接続、メモリからの読み出しタイミング、画像の画質、画郭、台形補正パラメータ等は、前記設定部４から設定することができ、これらの設定情報は、制御部３の不揮発性記憶部に記憶される。
したがって、予め、上記設定情報を制御部３の不揮発性記憶部に記憶しておき、ディスプレイ装置に画像を表示する際、上記不揮発性記憶部から、上記設定情報を読みだすことにより、予め設定された設定情報に基づく画像を表示することができる。
【００１７】
図２は、上記スキャンコンバータ２−１〜２−ｍの構成例を示す図である。
図２に示すスキャンコンバータ２−１〜２−ｍは、前記図６に示したものと基本的には同様の構成を有し、その動作も同様であるが、本実施例のものでは、ＲＧＢ信号を入力するＲＧＢ入力端子を備えている。
また、前記図６に示したカラースペースコンバータ１２が出力するＲＧＢ信号をデジタル信号に変換するＡ／Ｄコンバータ１４ａに加えて、ＲＧＢ入力端子から入力されるＲＧＢ信号をデジタル信号に変換するＡ／Ｄコンバータ１４ｂを備えている。前記したように、ＲＧＢ信号は、Ｒ・Ｇ・Ｂ・ＶＤ・ＨＤの５つの信号があり、これが直接上記Ａ／Ｄコンバータ１４ｂに入力する。
また、メモリ１６とＤ／Ａコンバータ１８の間に、画像信号の画質等（輝度、コントラスト、彩度、色相、シャープネス等）を調整する画像調整回路１９が設けられている。
画像調節回路１９は、通常ルックアップテーブル（ＬＵＴ）と呼ばれるテーブルを備えており、入力画像情報を該テーブルデータに基づいて変換して出力する。このテーブルデータは、制御部３により書き換え可能であり、設定部４により、このテーブルに保持される画像調節パラメータが設定される。
【００１８】
さらに、ＶＧＡ用タイミング発生回路、ＸＧＡ用タイミング発生回路、ＵＸＧＡ用タイミング発生回路等、出力側に接続されるディスプレイ装置の規格に対応した読み出しタイミング信号を発生する複数の読み出しタイミング発生回路から構成される画像読み出し回路２０を備えている。
上記読み出しタイミング発生回路は、ＶＧＡ・ＳＶＧＡ・ＸＧＡ・ＳＸＧＡ・ＵＸＧＡ等のそれぞれの規格に応じたタイミングで、水平同期信号（ＨＤ）、垂直同期信号（ＶＤ）を発生する。
そして、制御部３から出力される画像調整パラメータ制御信号により上記画像調整回路１９のテーブルデータが書き換えられ、画像調整回路１９は、ここに保持された画像調整パラメータに基づき、メモリ１６から読み出される画像信号の画質等を調整する。
また、制御部４から出力されるタイミング信号選択制御信号、台形補正制御信号、画郭制御信号は上記画像読み出し回路２０に与えられる。画像読み出し回路２０は、上記タイミング信号選択制御信号により、読み出しタイミング信号発生回路を選択し、選択されたタイミング発生回路の出力を上記メモリ１６に与える。また、上記タイミング信号は、上記台形補正制御信号、画郭制御信号により調整される。
【００１９】
図３は、図１に示した制御部、設定部の構成例を示す図である。
制御部３は、ＣＰＵ等から構成される処理装置３１と、不揮発性記憶部３２を備え、不揮発性記憶部３２は前記したように、設定部４で設定されるマトリックススイッチ１の接続状態、画像調整回路１９の画像調整パラメータ、画像読み出し回路２０による読み出しタイミング等の設定情報を保持する。
また、処理装置３１は、設定部３で設定される設定情報を上記不揮発性記憶部３２に格納するとともに、不揮発性記憶部３２に格納された設定情報に基づき、マトリックススイッチ１の接続状態を制御するともに、スキャンコンバータ２−１〜２−ｍの画像調整回路１９のパラメータ、画像読み出し回路２０の読み出しタイミング等を制御する。
設定部４は、前記マトリックススイッチ１の接続状態を設定するための設定スイッチ４１、画像調整パラメータ設定部４２、出力設定部４３を備える。
上記設定スイッチ４１は、マトリックス状に配置された複数のスイッチ４１ａを備え、スイッチ４１ａの入力側と出力側の交点部分（同図で丸で示されている部分）を押すことにより、当該接続情報が処理装置３１に送られ、処理装置３１はマトリッスクスイッチ１の入力側の端子ＭＩ１　〜ＭＩｎ　と出力側の端子ＭＯ１　〜ＭＯ２ｍを上記接続情報に基づき、選択的に接続する。
【００２０】
上記画像調整パラメータ設定部４２は、画像調整用の設定ボタン４２ａと、選択ボタン４２ｂと、記憶ボタン４２ｃを備え、選択ボタン４２ｂで調整するパラメータを選択して、設定ボタン４２ａでパラメータを調整した後、上記記憶ボタン４２ｃを押すことで、当該設定情報が不揮発性記憶部３２に記憶される。そして、このパラメータにより前記スキャンコンバータ２−１〜２−ｍの画像調整回路１９が設定される。
出力設定部４３は、前記スキャンコンバータ２−１〜２−ｍの画像読み出し回路１９のスキャンタイミングを選択するスキャンセレクトボタン４３ａと、選択ボタン４３ｂと、台形補正、画郭設定のための設定ボタン４３ｃと、記憶ボタン４３ｄを備え、上記スキャンセレクトボタン４３ａにより上記スキャンタイミングを設定し、また、選択ボタン４３ｂで調整する設定項目を選択して、設定ボタン４３ｃにより台形補正パラメータ、画郭調整パラメータを設定する。
これらの設定情報は、記憶ボタン４３ｄを押すことで、不揮発性記憶部３２に記憶される。そして、この設定情報により前記スキャンコンバータ２−１〜２−ｍの画像読み出し回路１９における読み出しタイミング等が設定される。
【００２１】
次に、本実施例のＳＣＭＳの使い方について説明する。
展示会等の現場で使用する前に、以下に説明するように、予め、画像パラメータ、読み出しタイミング等の調整を行っておく。
図１に示すＳＣＭＳの入力端子Ｉ１　〜Ｉｎ　からＮＴＳＣ方式あるいはＲＧＢ方式の画像を入力する。また、ＳＣＭＳの出力端子Ｏ１　〜Ｏｍ　にモニタ２１、プロジェクタ２２等のディスプレイ装置を接続する。
そして、設定部４の設定スイッチ４１により、上記ＮＴＳＣ方式あるいはＲＧＢ方式の画像信号が、スキャンコンバータ２−１〜２−ｍの、対応する入力端子（ＮＴＳＣ入力端子あるいはＲＧＢ入力端子）に入力されるようにマトリックススイッチ１の接続状態を設定する。
また、前記設定部４の出力設定部４３のスキャンセレクトボタン４３ａにより、該ディスプレイ装置の規格に対応した読み出しタイミングでメモリ１６から画像信号が読みだされるように各スキャンコンバータ２−１〜２−ｍの画像読み出し回路１９の読み出しタイミングを設定する。
上記設定を行ったのち、出力設定部４３の記憶ボタン４３ｅを押す。これにより、上記設定スイッチ４１により設定したマトリックススイッチ１の接続状態に対応した読み出しタイミングが、制御部３の不揮発性記憶部３２に記憶される。
【００２２】
例えば、図１の入力端子Ｉ１　からＮＴＳＣ信号を入力し、スキャンコンバータ２−ｍの出力側、すなわちＳＣＭＳの出力端子Ｏｍ　に、ＶＧＡ規格のプロジェクタ２２を接続する場合には、マトリックススイッチ１の接続状態を、〔入力端子Ｉ１　〕→〔スキャンコンバータ２−ｍのＮＴＳＣ入力端子〕に設定し、画像読み出し回路１９の読み出しタイミングをＶＧＡに設定する。
この状態で、上記記憶ボタン４３ｄを押すと、上記不揮発性記憶部３２には、例えば、以下のデータが記憶される。
▲１▼〔Ｉ１　→ＳＣ２−ｍ，１〕：〔ＶＧＡ〕
ここで、「Ｉ１　」は入力端子Ｉ１　、「ＳＣ２−ｍ，１」はスキャンコンバータ２−ｍのＮＴＳＣ入力端子を意味し、「→」は接続関係を示す。すなわち、〔Ｉ１　→ＳＣ２−ｍ，１〕は、入力端子Ｉ１　がスキャンコンバータ２−ｍのＮＴＳＣ入力端子に接続されるようにマトリックススイッチを設定することを意味する。また、ＶＧＡはＶＧＡ規格であることを意味する。
【００２３】
次に、ＳＣＭＳの出力側に接続された上記プロジェクタ２２に表示される画像を見ながら、画像調整パラメータ、台形補正パラメータ等を設定する。
画像調整パラメータを設定するには、画像調整パラメータ設定部４２の選択ボタン４２ａを押す。これにより、上記プロジェクタ２２の画面に、輝度、コントラスト、彩度、色相、シャープネス等を選択するための画像調整メニューが表示される。
このメニューの表示は、例えば上記制御部３の処理装置３１によりメニュー画像を表示するための画像データをスキャンコンバータ２−ｍのメモリ１６に書き込み、プロジェクタ２２による表示画面上にスーパインポースすることで実現することができる。
【００２４】
ユーザは、設定部４の画像調整パラメータ設定部４２の選択ボタン４２ｂにより、上記メニューの中から、調整するパラメータを選択する。そして、プロジェクタ２２により表示される画像を見ながら設定ボタン４２ａによりパラメータを増減させ、パラメータを適切な値に設定する。
例えば、輝度を調整する場合には、上記メニューの中から「輝度」を選択し、画面を見ながら、上記増減ボタン４２ａにより、画面の輝度を調整する。この調整と同時に、画像調整回路１９のルックアップテーブルが書き換えられ、プロジェクタ２２による表示される画像が変化する。
画像の輝度が適切な値に設定されたら、画像調整パラメータ設定部４２の記憶ボタン４２ｃを押し、設定された輝度を前記不揮発性記憶部３２に記憶させる。
これにより、上記不揮発性記憶部３２には、前記▲１▼のデータに、以下のように輝度値が追加される。
▲１▼〔Ｉ１　→ＳＣ２−ｍ，１〕：〔ＶＧＡ〕：〔輝度値ｄ１〕
【００２５】
同様に、コントラスト、彩度、色相、シャープネスについて、同様な設定を行い、前記不揮発性記憶部３２に記憶させる。
これにより、上記不揮発性記憶部３２の▲１▼のデータは以下のようになる。
▲１▼〔Ｉ１　→ＳＣ２−ｍ，１〕：〔ＶＧＡ〕：〔輝度値ｄ１：コントラスｄ２：彩度ｄ３：色相ｄ４：シャープネスｄ５〕
なお、前記マトリックススイッチ１の接続設定、画像読み出し回路２０の読み出しタイミングの設定も上記のように、プロジェクタにより表示される画面上にメニュー画面を表示して、設定するようにしてもよい。
【００２６】
次に、台形補正を行う。前記したように出力側にプロジェクタ２２が接続される場合、映像は、投影器からスクリーンに向かって上向き、または下向きに投影され、スクリーン上に画像を歪なく四角く映し出すためには、上向き照射の場合は、投影器からの画像を上辺に向かうにしたがって徐々に狭くなるように、下向き照射の場合は、下辺に向かうにしたがって徐々に狭くなるように調整する必要がある。
台形補正、画郭調整等を行うには、出力設定部４３の選択ボタン４３ｂを押す。これにより、上記プロジェクタ２２による画面に、設定項目を選択するためのメニューが表示される。
次いで、出力設定部４３の選択ボタン４３ｂにより、上記メニューの中から、設定項目を選択し、プロジェクタ２２により表示される画像を見ながら設定ボタン４３ｃによりパラメータを増減させ、パラメータを適切な値に設定する。
例えば、台形補正を行うには、上記メニューの中から「台形補正」を選択し、画面を見ながら、上記設定ボタン４３ｃにより、上辺、下辺の長さ、上下方向の長さ等を調整する。この調整と同時に、プロジェクタ２２による表示される画像が変化する。
台形補正を行い、プロジェクタ２２により、適切な画面が表示されるようになったら、記憶ボタン４３ｄを押し、設定された台形補正パラメータを前記不揮発性記憶部３２に記憶させる。
これにより、上記不揮発性記憶部３２の▲１▼のデータは以下のようになる。
▲１▼〔Ｉ１　→ＳＣ２−ｍ，１〕：〔ＶＧＡ〕：〔輝度値ｄ１：コントラスｄ２：彩度ｄ３：色相ｄ４：シャープネスｄ５〕：〔台形補正パラメータα１，α２，…〕
【００２７】
以上の説明は、出力側にプロジェクタが接続されている場合であるが、出力側にモニタ２２が接続されている場合にも、上記と同様に、マトリックススイッチ１の接続状態、画像読み出しタイミング、画像調整パラメータ、画郭調整パラメータを設定する。
例えば、図１の入力端子Ｉｋ　からＲＧＢ信号を入力し、スキャンコンバータ２−１の出力側、すなわちＳＣＭＳの出力端子Ｏ１　に、ＵＸＧＡ規格のモニタ２１を接続する場合、上記設定を行い記憶させると、不揮発性記憶部３２には、例えば以下の▲２▼のデータが記憶される。
▲２▼〔Ｉｋ　→ＳＣ２−１，２〕：〔ＵＸＧＡ〕：〔輝度値ｄ１１：コントラスｄ１２：彩度ｄ１３：色相ｄ１４：シャープネスｄ１５〕：〔画郭調整パラメータβ１，β２，…〕
なお、上記において、ＳＣ２−１，２は、スキャンコンバータ２−１のＲＧＢ端子を意味する。
上記不揮発性記憶部３２に記憶された設定情報は、電源をオフにしても保存され、再度電源を投入したとき、上記設定情報を読み出して、マトリッスクスイッチ１、スキャンコンバータ２−１〜２−ｍを上記設定情報に基づき、再設定することができる。
【００２８】
以上の設定を行い設定情報を不揮発性記憶部３２に記憶しておく。そして、展示会等の現場では、上記設定に応じて、ＳＣＭＳの入力端子Ｉ１　〜Ｉｎ　をＮＴＳＣ方式、あるいはＲＧＢ方式の画像信号を発生する機器等に接続する。
また、ＳＣＭＳの出力端子Ｏ１　〜Ｏｍ　に上記設定に応じたモニタ、プロジェクタを接続する。
そして、上記不揮発性記憶部３２に記憶された▲１▼，▲２▼のデータを読み出し、マトリッスクスイッチ１、スキャンコンバータ２−１，２−ｍの画像調整回路１９の画像調整パラメータ、画像読み出し回路２０の読み出しタイミング等を上記設定情報により設定する。
これにより、展示会等の現場では、格別の設定を行うことなく、ディスプレイの画面に美しい画像を表示することができる。
【００２９】
なお、上記では、入力端子Ｉ１　からＮＴＳＣ方式の画像信号を入力し、ＳＣＭＳの出力端子Ｏｍ　に、ＶＧＡ規格のプロジェクタ２２を接続する場合の設定について説明したが、例えば、状況によっては、上記入力端子Ｉ１　からＮＴＳＣ方式の画像信号が入力され、出力端子Ｏｍ　にＳＶＧＡ規格のモニタが接続されることもある場合には、上記▲１▼，▲２▼のデータに加え、以下の▲３▼のデータを不揮発性記憶部３２に記憶しておいてもよい。
▲３▼〔Ｉ１　→ＳＣ２−ｍ，１〕：〔ＳＶＧＡ〕：〔輝度値ｄ１’：コントラスｄ２’：彩度ｄ３’：色相ｄ４’：シャープネスｄ５’〕：〔画郭調整パラメータβ１’，β２’，…〕
上記▲３▼のデータを不揮発性記憶部３２に記憶しておけば、例えば展示会等の現場等で、出力端子Ｏｍ　に接続されるディスプレイ装置が変更した際、上記▲３▼のデータによりマトリックススイッチ１、スキャンコンバータを設定することで格別の調整をすることなく、直ちに、美しい画像を出力端子Ｏｍ　に接続されたモニタに表示することができる。
【００３０】
【発明の効果】
以上説明したように、本発明においては、以下の効果を得ることができる。
（１）スキャンコンバータを内蔵したマトリクススイッチを上記構成としたので、入力側からＮＴＳＣ方式の画像信号やＲＧＢ方式の画像信号が入力され、出力側に各種規格のディスプレイ装置が接続される場合であっても、入力画像信号の方式や出力側に接続されるディスプレイ装置の規格に合わせてスキャンコンバータを用意する必要がない。このため、各種の用途に柔軟に対応することができる。
（２）予め、上記切換回路の切換状態に対応させて、上記読み出しタイミングや画像調整パラメータ等を設定し、この設定情報を不揮発性記憶部に記憶しておくことにより、上記不揮発性記憶部から設定情報を読みだすことで、上記切換回路、読み出しタイミングや画像調整パラメータ等を迅速に設定することができる。このため、例えば展示会の現場等で設定に手間取ることなく、美しい画像を直ちに表示させることができる。
（３）切換回路の設定や、複数のスキャンコンバータの読み出しタイミングや画像調整パラメータ等の設定を、共通に設けた制御部から行うことができるので、入出力端子の数や内蔵されたスキャンコンバータの数が多くなっても、各パラメータを調整するつまみ等の数を少なくすることができる。このため、装置の小型化を図ることができとともに、コストダウンを図ることができる。
【図面の簡単な説明】
【図１】本発明の実施例のスキャンコンバータを内蔵したマトリックススイッチの全体構成を示す図である。
【図２】図１に示すスキャンコンバータの構成例を示す図である。
【図３】図１に示した制御部、設定部の構成例を示す図である。
【図４】マトリックススイッチの使用例を示す図である。
【図５】スキャンコンバータ（走査変換器）の使用例を示す図である。
【図６】スキャンコンバータの概略構成を示す図である。
【符号の説明】
１　　マトリックススイッチ
２−１〜２−ｍ　スキャンコンバータ
３　　　　　　　制御部
４　　　　　　　設定部
２１　　　　　　モニタ
２２　　　　　　プロジェクタ
Ｂｆ　　　　　　バッファ
１１　　　　　　Ｙ−Ｃ分離回路
１２　　　　　　カラースペースコンバータ
１３　　　　　　同期分離回路
１５　　　　　　読み込みタイミング発生回路
１４ａ，１４ｂ　Ａ／Ｄコンバータ
１６　　　　　　メモリ
１８　　　　　　Ｄ／Ａコンバータ
１９　　　　　　画像調整回路
２０　　　　　　画像読み出し回路
３１　　　　　　処理装置
３２　　　　　　不揮発性記憶部
４１　　　　　　設定スイッチ
４２　　　　　　画像調整パラメータ設定部
４３　　　　　　出力設定部
【図１】
2004134963.tif 000003
【図２】
2004134963.tif 000004
【図３】
2004134963.tif 000005
【図４】
2004134963.tif 000006
【図５】
2004134963.tif 000007
【図６】
2004134963.tif 000008